(57)【要約】【課題】容易に水密性を確保し、かつ耐風圧の問題を解決すること。【解決手段】屋根妻パネル２３の縁部に沿って配置される腕木１８及び妻垂木１９と、屋根妻パネル２３の室内に臨む内表面２３ｃに対向した状態で両端部がそれぞれ腕木１８及び妻垂木１９に固定される内補強部７０Ａと、屋根妻パネル２３の室外に臨む外表面２３ｄに対向した状態で配置され、内補強部７０Ａとの間に屋根妻パネル２３を挟持する外補強部７０Ｂとを備え、屋根妻パネル２３には、内補強部７０Ａ及び外補強部７０Ｂによって覆われる位置に連結用挿通孔２３ｂが設けられ、外補強部７０Ｂと屋根妻パネル２３との間には、連結用挿通孔２３ｂを対象とした外層シール部材７４及び面状シール部材８０が設けられ、内補強部７０Ａ及び外補強部７０Ｂは、連結用挿通孔２３ｂに挿通したネジ部材７５によって互いに連結されている。【選択図】図４
2020051132.tif 000002
【特許請求の範囲】
【請求項１】
面材の縁部に沿って配置される枠材と、
前記面材の室内に臨む内表面に対向した状態で両端部がそれぞれ前記枠材に固定される第１の補強材と、
前記面材の室外に臨む外表面に対向した状態で配置され、前記第１の補強材との間に前記面材を挟持する第２の補強材と
を備え、
前記面材には、前記第１の補強材及び前記第２の補強材によって覆われる位置に連結用挿通孔が設けられ、
前記第２の補強材と前記面材との間には、前記連結用挿通孔を対象としたシール部材が設けられ、
前記第１の補強材及び前記第２の補強材は、前記連結用挿通孔に挿通した連結部材によって互いに連結されていることを特徴とする面材の支持構造。
【請求項２】
前記連結部材は、前記第２の補強材に設けられたネジ部材であり、前記面材の連結用挿通孔及び前記第１の補強材に設けたネジ挿通孔を挿通した端部にナット部材を螺合することにより前記第１の補強材と前記第２の補強材とを連結することを特徴とする請求項１に記載の面材の支持構造。
【請求項３】
前記シール部材は、前記面材の外表面において前記連結用挿通孔の周囲となる部位に取り付けられていることを特徴とする請求項１に記載の面材の支持構造。
【請求項４】
前記シール部材は、前記第２の補強材の両側縁部に取り付けられていることを特徴とする請求項１または請求項３に記載の面材の支持構造。
【請求項５】
請求項１〜請求項４のいずれか一つに記載された支持構造を適用して面材を支持したことを特徴とする屋根構造体。
【発明の詳細な説明】
【技術分野】
【０００１】
本発明は、面材の支持構造及び屋根構造体に関するものである。
【背景技術】
【０００２】
テラス囲い等、建物の外壁に設けられる屋外構造物には、躯体縦枠から突出する側枠と腕木との間に構成される略三角形状の開口に屋根妻パネルと称される樹脂製の面材を設けるようにしたものがある。面材は、縁部がパネル収容溝に挿入された状態で側枠及び腕木に支持されている（例えば、特許文献１参照）。
【先行技術文献】
【特許文献】
【０００３】
【特許文献１】特開２０１５−１３２１１９号公報
【発明の概要】
【発明が解決しようとする課題】
【０００４】
ところで、上記のように縁部のみを介して側枠や腕木に支持された面材にあっては、大きな面積で風圧を受けることになるため、撓み易く音鳴りが生じる場合がある。また、風が強い状況下にあっては、風圧も大きくなるため面材の撓み量も増大することになり、側枠や腕木から脱落する事態を招来するおそれもある。特に、樹脂製の面材を適用している屋外構造物においては、上述の問題が顕著となる。
【０００５】
こうした耐風圧に関する問題は、例えば、側枠と腕木との間に吊束を設け、面材の縁部を吊束にも支持させることで改善することが可能となる。すなわち、側枠と腕木との間に吊束を設ければ、面材が分断されるため撓み難くなる。これにより、風が強い状況下においても音が鳴ったり、面材が脱落する事態を低減することが可能となる。しかしながら、吊束を備える面材の支持構造では、面材と吊束との間及び吊束と側枠や腕木との間が、部材の接合部として新たに増えるばかりでなく、パネル収容溝の内部において面材と吊束とが接合することになり、面材の縁部に対して水密性を確保するための構造が複雑になるという懸念がある。
【０００６】
本発明は、上記実情に鑑みて、容易に水密性を確保し、かつ耐風圧の問題を解決することのできる面材の支持構造及び屋根構造体を提供することを目的とする。
【課題を解決するための手段】
【０００７】
上記目的を達成するため、本発明に係る面材の支持構造は、面材の縁部に沿って配置される枠材と、前記面材の室内に臨む内表面に対向した状態で両端部がそれぞれ前記枠材に固定される第１の補強材と、前記面材の室外に臨む外表面に対向した状態で配置され、前記第１の補強材との間に前記面材を挟持する第２の補強材とを備え、前記面材には、前記第１の補強材及び前記第２の補強材によって覆われる位置に連結用挿通孔が設けられ、前記第２の補強材と前記面材との間には、前記連結用挿通孔を対象としたシール部材が設けられ、前記第１の補強材及び前記第２の補強材は、前記連結用挿通孔に挿通した連結部材によって互いに連結されていることを特徴とする。
【発明の効果】
【０００８】
本発明によれば、第１の補強材と第２の補強材との間に面材を挟持するようにしているため、面材を分断することなく耐風圧の問題を解決することができる。しかも、パネル収容溝の内部において面材と吊束とが接合することがないため、面材の縁部において水密性を確保するための構造が複雑になるおそれもない。さらに、新たに水の浸入経路となる面材の連結用挿通孔は、第２の補強材と面材との間にシール部材を設けることで対応することができ、容易に水密性を確保することができる。
【図面の簡単な説明】
【０００９】
【図１】本発明の実施の形態である面材の支持構造を適用した屋外構造物を示すもので、（ａ）は外観斜視図、（ｂ）はフレーム材の構成を示す斜視図である。
【図２】図１に示した屋外構造物の屋根構造体を示す拡大断面側面図である。
【図３】図２に示した屋根構造体の横断面図である。
【図４】図２に示した屋根構造体の要部縦断面正面図である。
【図５】図２に示した屋根構造体に適用する面材を示す図である。
【図６】図２に示した屋根構造体に適用する補強用吊束を示すもので、（ａ）は外補強部の分解横断面図、（ｂ）は内補強部の内層部材を示す分解横断面図、（ｃ）は内補強部の外層部材を示す横断面図、（ｄ）はカバー部材の横断面図である。
【図７】図４に示した屋根構造体に外補強部及び内補強部を取り付ける以前の状態を示す要部分解縦端面正面図である。
【図８】図４に示した屋根構造体に外補強部を取り付けた状態を示す要部分解縦端面正面図である。
【図９】図２に示した屋根構造体に補強用吊束を取り付ける手順を示すもので、（ａ）は外補強部及び内補強部を取り付ける以前の要部拡大横断面図、（ｂ）は外補強部を取り付けた状態の要部拡大横断面図、（ｃ）は内補強部を取り付けた状態の要部拡大横断面図、（ｄ）はカバー部材を取り付けた状態の要部拡大横断面図である。
【図１０】図２に示した屋根構造体に外補強部及び内補強部を取り付ける以前の状態を室内側から見た要部分解斜視図である。
【図１１】図１０に示す状態から外補強部を取り付けた状態の要部分解斜視図である。
【図１２】図１１に示す状態から内補強部を取り付けた状態の要部分解斜視図である。
【図１３】図１２に示す状態から内補強部を取付ネジによって屋根構造体に固定した状態の要部分解斜視図である。
【発明を実施するための形態】
【００１０】
以下、添付図面を参照しながら本発明に係る面材の支持構造の好適な実施の形態について詳細に説明する。
図１〜図４は、本発明の実施の形態である面材の支持構造を適用した屋外構造物を示したものである。ここで例示する屋外構造物１０は、建物の外壁Ｗに隣接したテラス１を利用してサンルームを構成するためのテラス囲いと称されるもので、複数のフレーム材を組み合わせることによって構成した略直方体状の外殻を備えている。フレーム材は、アルミニウム合金等の金属によって成形した押し出し形材であり、長手に沿った全長がほぼ一様の断面を有するように構成してある。本実施の形態では、フレーム材として、躯体縦枠１１、根太掛け１２、垂木掛け１３、妻梁１４、柱１５、桁１６、前枠１７、腕木１８、妻垂木１９を適用し、これらを適宜組み合わせることによって屋外構造物１０の外殻が構成してある。このうち、躯体縦枠１１、垂木掛け１３、前枠１７、腕木１８、妻垂木１９は、後述する框部材２１、屋根パネル２２、屋根妻パネル（面材）２３及び端部キャップ３０，４０とによって屋根構造体を構成するものである。
【００１１】
以下、屋外構造物１０についてより具体的に説明する。なお、以下においては便宜上、建物の上下に沿う方向を上下、外壁Ｗに沿って水平となる方向を左右、外壁Ｗに直交して水平となる方向を前後とし、外壁Ｗから離隔する方向を前方、外壁Ｗに近接する方向を後方と称することとする。この屋外構造物１０では、まず、建物の外壁Ｗに左右の躯体縦枠１１を取り付けるとともに、躯体縦枠１１の下端部間を連結するように根太掛け１２を取り付け、かつ躯体縦枠１１の上端部間を連結するように垂木掛け１３を取り付けることにより、建物の外壁Ｗに矩形の枠が構成される。垂木掛け１３は、両端の小口端面が左右に開口するように、両端部の下面を介して躯体縦枠１１の上面に当接した状態で外壁Ｗに取り付けてある。垂木掛け１３の小口端面には、樹脂によって成形した後端部キャップ４０が装着してある。後端部キャップ４０は、垂木掛け１３の小口端面を覆い隠すことにより、垂木掛け１３の内部に水が浸入するのを防止するとともに、意匠性の向上を図るためのものである。
【００１２】
図からも明らかなように、垂木掛け１３及び躯体縦枠１１には、外壁Ｗに当接する面の縁部にシール溝１３ａ，１１ａが設けてある。垂木掛け１３には、外壁Ｗ側の上方縁部にシール溝１３ａが設けてあり、躯体縦枠１１には、外壁Ｗ側の両側縁部にそれぞれシール溝１１ａが設けてある。これらのシール溝１３ａ，１１ａは、垂木掛け１３や躯体縦枠１１を建物に取り付けた場合に、外壁Ｗとの間に断面が矩形の凹状となるように構成したもので、垂木掛け１３及び躯体縦枠１１で互いに同一の幅を有するように構成してある。
【００１３】
根太掛け１２には、両端部から室外側に向けてほぼ水平となるように左右の妻梁１４が突設してあり、妻梁１４の延在端部には、それぞれ柱１５が連結してある。柱１５は、左右の躯体縦枠１１と同じ間隔を確保した位置に上下に沿う状態でテラス１に立設したもので、個々の上端が躯体縦枠１１の上端よりも低くなるように設けてある。左右の柱１５の間には、桁１６及び前枠１７が取り付けてある。桁１６は、妻梁１４とほぼ同じ高さとなるように配設したもので、左右に沿ってほぼ水平に延在している。前枠１７は、左右両端部の下面にそれぞれ柱１５の上端面が当接するように配設してあり、垂木掛け１３よりも低い位置において左右に沿ってほぼ水平に延在している。この前枠１７の小口端面１７ａには、樹脂によって成形した前端部キャップ３０が装着してある。前端部キャップ３０は、前枠１７の小口端面１７ａを覆い隠すことにより、前枠１７の内部に水が浸入するのを防止するとともに、意匠性の向上を図るためのものである。なお、本実施の形態では、これら左右の柱１５、桁１６及び前枠１７によって構成される矩形状の前面開口２４に引き違い窓５０が取り付けてあり、左右の障子５１をスライドさせることで前面開口２４を開閉することが可能である。
【００１４】
前枠１７の両端部には、躯体縦枠１１との間にそれぞれ腕木１８が取り付けてある。腕木１８は、前枠１７の下方部から外壁Ｗに向けてほぼ水平に延在し、延在端部が躯体縦枠１１の室外に臨む表面１１ｃに連結してあり、躯体縦枠１１、柱１５及び妻梁１４との間に矩形状の側方開口２５を構成している。なお、本実施の形態では、左右の側方開口２５にそれぞれＦＩＸ窓６０が取り付けてあり、側方開口２５が常時閉塞された状態にある。
【００１５】
さらに、前枠１７の両端部には、腕木１８よりも上方となる部位にそれぞれ妻垂木１９が取り付けてある。妻垂木１９は、建物の外壁Ｗに向けて漸次上方となるように傾斜し、延在端部がそれぞれ垂木掛け１３の両端部に連結してある。左右の妻垂木１９は、垂木掛け１３及び前枠１７との間に矩形状の屋根開口２６を構成し、かつ躯体縦枠１１、腕木１８及び前枠１７との間にそれぞれ台形状の屋根妻開口２７を構成している。
【００１６】
屋根開口２６には、妻垂木１９と平行となるように垂木２８が設けられるとともに、開口２６を閉塞するように屋根パネル２２が取り付けてある。屋根パネル２２は、屋外構造物１０の屋根となるもので、外壁Ｗから離隔するに従って漸次下方となるように傾斜している。図からも明らかなように、屋根パネル２２は、四周の縁部を垂木掛け１３、妻垂木１９及び前枠１７のそれぞれに設けたパネル装着溝２２Ａに挿入することにより、屋根開口２６を常時閉塞する状態で取り付けてある。屋根パネル２２としては、ポリカーボネート等の樹脂によって成形した透光性を有する板材を適用している。パネル装着溝２２Ａの内部においては、屋根パネル２２の上下両面に対して少なくとも一方にパネルシール部材２２ａが当接した状態にある。屋根パネル２２に当接するパネルシール部材２２ａは、予め成形された定形を成すものである。
【００１７】
一方、屋根妻開口２７には、屋根妻パネル２３及び補強用吊束７０が配設してある。屋根妻パネル２３は、図５に示すように、屋根妻開口２７よりも一回り大きな台形状の外形形状を成す１枚の平板状部材である。この屋根妻パネル２３は、四周の縁部を妻垂木１９、躯体縦枠１１、腕木１８及び前枠１７に設けたパネル収容溝２３Ａに挿入することにより、屋根妻開口２７を常時閉塞する状態で取り付けてある。腕木１８には、その上面にパネル収容溝２３Ａが一体に形成してある。これに対して妻垂木１９、躯体縦枠１１及び前枠１７では、パネル収容溝２３Ａを有した框部材２１を別体に成形し、それぞれの内周側となる周面に框部材２１を取り付けることによってパネル収容溝２３Ａが設けてある。框部材２１は、妻垂木１９、躯体縦枠１１及び前枠１７よりも幅が小さく構成してあり、個々の外方側面２１ａが、妻垂木１９の外方側面１９ａ、躯体縦枠１１の外方側面１１ｂ及び前枠１７の小口端面１７ａに対して一段退行した位置に配置されている。同様に、腕木１８には、パネル収容溝２３Ａよりも室外側に位置する部位に、腕木１８の外方側面１８ａよりも一段退行した段状側面１８ｂが設けてある。この段状側面１８ｂは、框部材２１の外方側面２１ａとほぼ同一の平面上に位置している。
【００１８】
図からも明らかなように、本実施の形態では、前枠１７に設けた框部材（以下、区別する場合に前縦框部材２１Ａという）の上端部に妻垂木１９に設けた框部材（以下、区別する場合に上框部材２１Ｂという）が挿入する形で連結してある。また、上框部材２１Ｂにおいて外壁Ｗ側に位置する端部には、その下面に躯体縦枠１１に設けた框部材（以下、区別する場合に後縦框部材２１Ｃという）の上端面が当接した状態で連結してある。屋根妻パネル２３としては、屋根パネル２２と同様、ポリカーボネート等の樹脂によって成形した透光性を有する板材を適用している。パネル収容溝２３Ａの内部においては、屋根妻パネル２３の内外両表面に対して少なくとも一方にパネルシール部材２３ａが当接した状態にある。屋根妻パネル２３に当接するパネルシール部材２３ａは、予め成形された定形を成すものである。
【００１９】
補強用吊束７０は、鉛直方向に沿って上下に延在するように設けたフレーム材であり、前縦框部材２１Ａと後縦框部材２１Ｃとの間のほぼ中間となる位置において妻垂木１９及び腕木１８に連結してある。補強用吊束７０の下端面７０ａは、腕木１８の上面１８ｃに当接することができるようにほぼ水平に延在する一方、補強用吊束７０の上端面７０ｂは、妻垂木１９の下面１９ｂもしくは上框部材２１Ｂの下面２１Ｂａに当接することができるように長手方向に沿って傾斜するように形成してある。本実施の形態では、屋根妻パネル２３において屋外構造物１０の室内側に配置される内補強部（第１の補強材）７０Ａと、屋根妻パネル２３において屋外構造物１０の室外側に配置される外補強部（第２の補強材）７０Ｂとを備えて補強用吊束７０が構成してある。図６に示すように、内補強部７０Ａは、内層部材１７０及び外層部材２７０を連結することによって構成したものである。内補強部７０Ａの外層部材２７０には、さらにカバー部材３７０を取り付けることが可能である。
【００２０】
内層部材１７０は、図６（ｂ）に示すように、平板状を成す内層基板部１７１の両側縁部にそれぞれ内層シール装着溝１７２及び内層側板部１７３を有したものである。内層シール装着溝１７２は、内層基板部１７１において一方の表面側となる部位に設けた凹所であり、内層基板部１７１の長手に沿った全長に開口するように形成してある。それぞれの内層シール装着溝１７２には、内層シール部材１７４が全長にわたって装着してある。内層部材１７０に設けた内層シール部材１７４は、予め成形された定形を成すものである。内層側板部１７３は、内層基板部１７１の縁部からそれぞれ他方の表面側に向けてほぼ直角となるように屈曲して延在したものである。内層側板部１７３の延在縁部には、それぞれ連結フック１７５が設けてある。連結フック１７５は、内層側板部１７３の延在縁部から互いに近接する方向に向けてほぼ直角に屈曲した第１フック部１７５ａと、第１フック部１７５ａの屈曲縁部から内層基板部１７１に対して離隔する方向に向けてほぼ直角に屈曲した第２フック部１７５ｂと、第２フック部１７５ｂの屈曲縁部から互いに離隔する方向に向けてほぼ直角に屈曲した第３フック部１７５ｃとを有したものである。図４に示すように、この内層部材１７０は、下端面が腕木１８の上面１８ｃに当接し、かつ上端面が上框部材２１Ｂの下面２１Ｂａに当接することができる長手寸法に構成してある。
【００２１】
外層部材２７０は、図６（ｃ）に示すように、平板状を成す外層基板部２７１の両側縁部にそれぞれ係合溝２７２及び外層側板部２７３を有したものである。係合溝２７２は、外層基板部２７１において一方の表面側となる部位に設けた凹所であり、外層基板部２７１の長手に沿った全長に開口するように形成してある。それぞれの係合溝２７２は、内層部材１７０に設けた連結フック１７５の第２フック部１７５ｂ及び第３フック部１７５ｃを収容することのできる大きさを有し、かつ第１フック部１７５ａと第３フック部１７５ｃとの間に挿入される係合片２７２ａを有している。すなわち、外層部材２７０は、係合溝２７２に連結フック１７５を係合させることにより、内層部材１７０に対してその室内側に着脱可能に取り付けることが可能である。外層側板部２７３は、外層基板部２７１の縁部からそれぞれ他方の表面側に向けてほぼ直角となるように屈曲して延在したものである。外層側板部２７３の延在縁部には、互いに対向する方向に向けて突出するように厚肉部分２７３ａが設けてある。この外層部材２７０は、下端面が腕木１８の上面１８ｃに当接し、かつ上端面が妻垂木１９の下面１９ｂに当接することができる長手寸法に構成してある。つまり、外層部材２７０を腕木１８の上面１８ｃに当接させた場合には、その上端部が上框部材２１Ｂの内方側面２１Ｂｂを覆うように配置されることになる。
【００２２】
カバー部材３７０は、図６（ｄ）に示すように、平板状を成すカバー基板部３７１の両側縁部に係合ヒレ部３７２を有したものである。係合ヒレ部３７２は、カバー基板部３７１の縁部からそれぞれ一方の表面側に向けてほぼ直角となるように屈曲して延在したものである。係合ヒレ部３７２の外表面間距離は、外層側板部２７３に設けた厚肉部分２７３ａの相互間距離よりもわずかに小さくなるように設定してある。係合ヒレ部３７２の延在縁部には、互いに外側に向けて突出するように係合突条３７２ａが設けてある。このカバー部材３７０は、外層側板部２７３の相互間に係合ヒレ部３７２を挿入すると、係合突条３７２ａが厚肉部分２７３ａの段部に係合され、外層部材２７０に対してその室内側に着脱可能に取り付けることが可能である。このカバー部材３７０は、外層部材２７０と同じ長手寸法を有するように構成してある。
【００２３】
一方、外補強部７０Ｂは、単一の部材によって構成したもので、図６（ａ）に示すように、平板状を成す外束基板部７１の両側縁部にそれぞれ外層シール装着溝７２を有し、かつ外層シール装着溝７２の相互間となる部位にネジ保持溝７３を有している。外層シール装着溝７２は、外束基板部７１において一方の表面側となる部位に設けた凹所であり、外束基板部７１の長手に沿った全長に開口するように形成してある。それぞれの外層シール装着溝７２には、外層シール部材７４が全長にわたって装着してある。外補強部７０Ｂに設けた外層シール部材７４は、内層部材１７０に設けた内層シール部材１７４と同様のものであり、予め成形された定形を成している。ネジ保持溝７３は、外束基板部７１において一方の表面側となる部位に設けた凹所であり、外束基板部７１の長手に沿った全長に開口するように形成してある。ネジ保持溝７３の開口は、両側縁部から突出する保持ヒレ部７３ａによって内部空間よりも狭くなっている。このネジ保持溝７３には、複数箇所（本実施の形態では２箇所）にネジ部材７５が配設してある。
【００２４】
ネジ部材７５は、ネジ溝を有した軸部７５ａの基端部に外径の大きな頭部７５ｂを有したものである。ネジ部材７５の軸部７５ａは、ネジ保持溝７３の開口幅よりも小さい外径を有している。ネジ部材７５の頭部７５ｂは、ネジ保持溝７３に収容可能、かつネジ保持溝７３の開口幅よりも大きな外径に構成してある。このネジ部材７５は、頭部７５ｂをネジ保持溝７３に収容させ、軸部７５ａが外束基板部７１の一方の表面から突出する状態で外補強部７０Ｂに保持させてある。ネジ部材７５の軸部７５ａには、スペーサ部材７５ｃが装着してある。スペーサ部材７５ｃは、頭部７５ｂよりも大きな外径を有している。ネジ保持溝７３に保持されたネジ部材７５は、頭部７５ｂがネジ保持溝７３の内壁に当接しており、外補強部７０Ｂに対する相対回転が阻止された状態にある（図９（ｂ）参照）。
【００２５】
補強用吊束７０を構成する外補強部７０Ｂ、内層部材１７０、外層部材２７０及びカバー部材３７０は、いずれもアルミニウム合金等の金属によって成形した押し出し形材であり、長手に沿った全長がほぼ一様の断面を有するように構成してある。
【００２６】
図７及び図８、図９、図１０〜図１３は、それぞれ屋根妻開口２７に対して上述した補強用吊束７０を取り付ける手順を示したものである。以下、これらの図を適宜参照しながら、屋根妻パネル２３の支持構造について詳述する。
【００２７】
まず、この屋根妻パネル２３の支持構造では、屋根妻パネル２３において外補強部７０Ｂのネジ部材７５に対応する部位にそれぞれ連結用挿通孔２３ｂを形成する。連結用挿通孔２３ｂは、ネジ部材７５の軸部７５ａに装着したスペーサ部材７５ｃを挿通可能とする内径を有した貫通孔である。屋根妻パネル２３において連結用挿通孔２３ｂの周囲となる部位には、図２、図７、図９（ａ）、図１０に示すように、室外に臨む表面及び室内に臨む表面にそれぞれ面状を成す面状シール部材８０を貼り付ける。面状シール部材８０は、連結用挿通孔２３ｂを覆うことのできる大きさの正方形状を成し、連結用挿通孔２３ｂに対応する部位に円形の孔８０ａを有したものである。
【００２８】
また、内層部材１７０の内層基板部１７１において外補強部７０Ｂのネジ部材７５に対応する部位にそれぞれ第１ネジ挿通孔（ネジ挿通孔）１７１ａを形成し、外層部材２７０の外層基板部２７１において外補強部７０Ｂのネジ部材７５に対応する部位にそれぞれ第２ネジ挿通孔（ネジ挿通孔）２７１ａを形成する。第１ネジ挿通孔１７１ａは、屋根妻パネル２３に形成した連結用挿通孔２３ｂとほぼ同じ内径を有した貫通孔である。第２ネジ挿通孔２７１ａは、ネジ部材７５の軸部７５ａを挿通可能、かつスペーサ部材７５ｃを挿通不可とする内径を有した貫通孔である。これら内層部材１７０及び外層部材２７０は、個々の下端面が同一の平面上に位置した状態で係合溝２７２に連結フック１７５を係合させることにより予め互いに一体化しておく。カバー部材３７０は、外層部材２７０から取り外しておく。
【００２９】
さらに、腕木１８の上面１８ｃにおいて内補強部７０Ａを取り付ける部分には、ブラケット９０を取り付けておく。ブラケット９０は、取付板部９１と、取付板部９１の一方の縁部からほぼ直角となる方向に向けて屈曲した支持板部９２とを一体に成形したものである。このブラケット９０は、支持板部９２が上方に向けて突出した状態で取付板部９１を介して腕木１８の上面１８ｃに取り付けてある。腕木１８に取り付けたブラケット９０は、支持板部９２の室内に臨む表面９２ａが基準位置となるように位置決めしてある。基準位置とは、屋根妻パネル２３の室内に臨む内表面２３ｃに対し内層シール部材１７４を介して内層部材１７０及び外層部材２７０の一体化物を当接させた場合に、外層基板部２７１の室外に臨む表面２７１ｂが配置される平面である。また、基準位置は、屋根妻パネル２３の室外に臨む外表面２３ｄに対し外層シール部材７４を介して外補強部７０Ｂを当接させた場合に屋根妻パネル２３の連結用挿通孔２３ｂを貫通したスペーサ部材７５ｃの端面が配置される平面にも一致するものである。
【００３０】
上述の状態から補強用吊束７０を取り付けるには、図８、図９（ｂ）、図１１に示すように、ネジ部材７５が屋根妻パネル２３の連結用挿通孔２３ｂを貫通する状態で、外層シール部材７４を介して外補強部７０Ｂを屋根妻パネル２３の室外に臨む外表面２３ｄに当接させる。この状態においては、外補強部７０Ｂの下端面が腕木１８の上面１８ｃに当接し、かつ外補強部７０Ｂの上端面が上框部材２１Ｂの下面２１Ｂａに当接することになる。
【００３１】
次いで、内層部材１７０の第１ネジ挿通孔１７１ａにスペーサ部材７５ｃが配置され、かつ外層部材２７０の第２ネジ挿通孔２７１ａに軸部７５ａが配置された状態となるようにネジ部材７５に対して内補強部７０Ａを挿入し、図９（ｃ）、図１２に示すように、内層シール部材１７４を介して内補強部７０Ａを屋根妻パネル２３の室内に臨む内表面２３ｃに当接させる。
【００３２】
この状態においては、内層部材１７０の下端面及び外層部材２７０の下端面がそれぞれ腕木１８の上面１８ｃに当接し、かつ内層部材１７０の上端面が上框部材２１Ｂの下面２１Ｂａに当接するとともに、外層部材２７０の上端面が妻垂木１９の下面１９ｂに当接することになる。またこのとき、外層基板部２７１の室外に臨む表面２７１ｂは、下端部がブラケット９０において支持板部９２の室内に臨む表面９２ａに当接し、かつ上端部が上框部材２１Ｂの内方側面２１Ｂｂに当接した状態となる。従って、外層基板部２７１を介してブラケット９０の支持板部９２及び上框部材２１Ｂに取付ネジ１００を螺合すれば、外補強部７０Ｂがブラケット９０を介して腕木１８に固定されるとともに、上框部材２１Ｂを介して妻垂木１９に固定された状態となる。
【００３３】
さらに、外層基板部２７１の第２ネジ挿通孔２７１ａを貫通するネジ部材７５の軸部７５ａにナット部材１０１を螺合すれば、ネジ部材７５を介して外補強部７０Ｂと内補強部７０Ａとが一体化され、さらに外層シール部材７４及び内層シール部材１７４を介して外補強部７０Ｂと内補強部７０Ａとの間に屋根妻パネル２３が挟持されることになる。このとき、屋根妻パネル２３の室外に臨む表面に貼り付けた面状シール部材８０が外補強部７０Ｂに圧接され、屋根妻パネル２３の室内に臨む表面に貼り付けた面状シール部材８０が内補強部７０Ａに圧接された状態となっている。
【００３４】
最後に、図９（ｄ）及び図１３に示すように、内補強部７０Ａの外層部材２７０にカバー部材３７０を装着すれば、ネジ部材７５、ナット部材１０１、取付ネジ１００、ブラケット９０が室内側から視認されることがなく、意匠性が損なわれるおそれがない。
【００３５】
上記のように構成した屋外構造物１０では、内補強部７０Ａと外補強部７０Ｂとの間に屋根妻パネル２３を挟持し、かつ内補強部７０Ａの上下両端部を妻垂木１９及び腕木１８に固定するようにしている。従って、屋根妻パネル２３としては、上框部材２１Ｂ、前縦框部材２１Ａ、腕木１８及び後縦框部材２１Ｃによって囲まれる比較的大きな領域に対応した大きさを有しているものの、風圧に対しては上框部材２１Ｂ、前縦框部材２１Ａ、腕木１８及び補強用吊束７０によって囲まれる領域と、上框部材２１Ｂ、後縦框部材２１Ｃ、腕木１８及び補強用吊束７０によって囲まれる領域とで受けることができる。
【００３６】
このため、風圧が作用した場合にも屋根妻パネル２３に撓み生じ難くなり、音鳴りが生じたり屋根妻開口２７から脱落する事態を低減することができる。しかも、屋根妻パネル２３が分断されていないため、パネル収容溝２３Ａにおいては、屋根妻パネル２３と補強用吊束７０とが接合することがなく、屋根妻パネル２３の縁部において水密性を確保するための構造が複雑になるおそれもない。例えば、屋根妻パネル２３の縁部において水密性を確保するための構造としては、上述したように、パネル収容溝２３Ａの内部において屋根妻パネル２３の内外両表面に対して少なくとも一方にパネルシール部材２３ａを当接させれば良い。つまり、屋根妻パネル２３の縁部に一連のパネルシール部材２３ａを配設すれば良いため、容易に水密性を確保することができる。さらに、新たに水の浸入経路となり得る連結用挿通孔２３ｂに対しては、外補強部７０Ｂと屋根妻パネル２３との間に面状シール部材８０を設けることで、あるいは外補強部７０Ｂの両側縁部に外層シール部材７４を設けることで、容易に水密性を確保することが可能となる。加えて、内補強部７０Ａ及び外補強部７０Ｂは、分断された屋根妻パネル２３の縁部を支持するものではないため、上框部材２１Ｂや腕木１８のパネル収容溝２３Ａに挿入する必要がない。このため、板厚方向の寸法に制限がないため、幅を増大させることなく剛性を向上させることが可能となる。
【００３７】
なお、上述した実施の形態では、テラス囲いと称される屋外構造物１０の屋根構造体において屋根妻パネル２３を支持するための構造を例示しているが、本発明はその他の面材を支持するものにも適用することが可能である。この場合、第１の補強材である内補強部７０Ａ及び第２の補強材である外補強部７０Ｂは一組である必要はなく、複数組設けるようにしても良い。また、第１の補強材及び第２の補強材を配設する方向は必ずしも上下方向に沿っている必要はなく、例えば、支持するパネルの上下に沿った寸法が水平に沿った寸法よりも大きいパネルに対しては水平方向に沿って第１の補強材及び第２の補強材を配設しても良い。さらに、面材よりも室内側に設けられる第１の補強材を枠材に固定するようにしているため、室内側から取付ネジを螺合することができる等、組立作業の容易化を図ることができるが、第２の補強材を枠材に固定するようにしても構わない。なお、第１の補強材と第２の補強材との連結は、必ずしもネジ部材７５である必要はなく、例えば単にロッドを適用して第１の補強材と第２の補強材とを連結しても良い。
【００３８】
また、上述した実施の形態では、第１の補強材として内層部材１７０と外層部材２７０とを組み合わせることによって構成されるものを例示しているが、本発明は必ずしもこれに限定されず、第１の補強材を１つの部材によって構成してももちろん良い。なお、第１の補強材として第２の補強材よりも断面二次モーメントが大きいものを適用しているため、つまり、第２の補強材よりも剛性の大きな第１の補強材を適用しているため、室外に露出する第２の補強材としては薄く幅の狭いものを適用することができ、外観品質を考慮した場合、有利となるが、本発明は必ずしもこれに限定されない。さらに、第１の補強材にカバー部材３７０を装着するようにしているため、室内側においても意匠性を向上させることができるが、カバー部材３７０は必ずしも設ける必要はない。
【００３９】
またさらに、面材の上縁部、上下に延在する縁部については、框部材２１に設けたパネル収容溝２３Ａに収容させるようにしているが、腕木１８と同様、枠材１９，１７，１１に設けたパネル収容溝に収容させるようにしても良い。また、第１の補強材の上端部については、上框部材２１Ｂを介して妻垂木１９に固定するようにしているが、直接妻垂木１９に取付ネジを螺合するようにしても良い。
【００４０】
また、上述した実施の形態では、連結用挿通孔２３ｂを対象としたシール部材として屋根妻パネル２３に面状シール部材８０を設けるとともに、外補強部７０Ｂの両側縁部に外層シール部材７４を設けるようにしているため、水密性の点で有利となるが、いずれか一方を設ければ十分である。
【００４１】
以上のように、本発明に係る面材の支持構造は、面材の縁部に沿って配置される枠材と、前記面材の室内に臨む内表面に対向した状態で両端部がそれぞれ前記枠材に固定される第１の補強材と、前記面材の室外に臨む外表面に対向した状態で配置され、前記第１の補強材との間に前記面材を挟持する第２の補強材とを備え、前記面材には、前記第１の補強材及び前記第２の補強材によって覆われる位置に連結用挿通孔が設けられ、前記第２の補強材と前記面材との間には、前記連結用挿通孔を対象としたシール部材が設けられ、前記第１の補強材及び前記第２の補強材は、前記連結用挿通孔に挿通した連結部材によって互いに連結されていることを特徴としている。
【００４２】
この発明によれば、第１の補強材と第２の補強材との間に面材を挟持するようにしているため、面材を分断することなく耐風圧の問題を解決することができる。しかも、パネル収容溝の内部において面材と吊束とが接合することがないため、面材の縁部において水密性を確保するための構造が複雑になるおそれもない。さらに、新たに水の浸入経路となる面材の連結用挿通孔は、第２の補強材と面材との間にシール部材を設けることで対応することができ、容易に水密性を確保することができる。
【００４３】
また本発明は、上述した面材の支持構造において、前記連結部材は、前記第２の補強材に設けられたネジ部材であり、前記面材の連結用挿通孔及び前記第１の補強材に設けたネジ挿通孔を挿通した端部にナット部材を螺合することにより前記第１の補強材と前記第２の補強材とを連結することを特徴としている。
【００４４】
この発明によれば、室内側からネジ部材にナット部材を螺合することで第１の補強材及び第２の補強材を面材に押し付けることができ、面材を支持する作業を容易に行うことができる。
【００４５】
また本発明は、上述した面材の支持構造において、前記シール部材は、前記面材の外表面において前記連結用挿通孔の周囲となる部位に取り付けられていることを特徴としている。
【００４６】
この発明によれば、面材に形成した連結用挿通孔の周囲にシール部材を設けるようにしているため、容易な構造によって確実に止水を行うことが可能となる。
【００４７】
また本発明は、上述した面材の支持構造において、前記シール部材は、前記第２の補強材の両側縁部に取り付けられていることを特徴としている。
【００４８】
この発明によれば、第２の補強材の両側縁部にシール部材を設ければ良いため、容易な構造によって確実に止水を行うことが可能となる。しかも、第２補強材と面材との間にシール部材が介在するため、第２補強材が面材に直接接触することに起因した面材の損傷を防止することも可能となる。
【００４９】
また本発明に係る屋根構造体は、上述した支持構造を適用して面材を支持したことを特徴とする。
【００５０】
この発明によれば、上述の作用効果を奏する屋根構造体を提供することができる。
【符号の説明】
【００５１】
１８  腕木、１９  妻垂木、２３  屋根妻パネル、２３ｂ  連結用挿通孔、２３ｃ  表面、７０  補強用吊束、７０Ａ  内補強部、７０Ｂ  外補強部、７４  外層シール部材、７５  ネジ部材、８０  面状シール部材、１０１  ナット部材、１７１ａ  第１ネジ挿通孔、２７１ａ  第２ネジ挿通孔
【図１】
2020051132.tif 000003
【図２】
2020051132.tif 000004
【図３】
2020051132.tif 000005
【図４】
2020051132.tif 000006
【図５】
2020051132.tif 000007
【図６】
2020051132.tif 000008
【図７】
2020051132.tif 000009
【図８】
2020051132.tif 000010
【図９】
2020051132.tif 000011
【図１０】
2020051132.tif 000012
【図１１】
2020051132.tif 000013
【図１２】
2020051132.tif 000014
【図１３】
2020051132.tif 000015